(57)【要約】【課題】ストロボの連続発光によるストロボ発光部及びその周辺部の加熱を防止しつつ、カメラの動作を禁止することなく続けてストロボ撮影を行えるようにする。【解決手段】閃光発光するストロボ発光部を有するカメラシステムにおいて、前記ストロボ発光部の前記閃光発光によって得られるエネルギーを測定する測定手段（Ｓ１０１）と、該測定手段による測定結果が所定値よりも大きくなった場合は、連続して行われるストロボ撮影時における前記閃光発光量を低減させる制御手段（Ｓ１０２→Ｓ１０３→Ｓ１０４）とを有する。【選択図】図８
2005156793.tif 000002
【特許請求の範囲】
【請求項１】
閃光発光するストロボ発光部を有するカメラシステムにおいて、前記ストロボ発光部の前記閃光発光によって得られるエネルギーを測定する測定手段と、該測定手段による測定結果が所定値よりも大きくなった場合は、連続して行われるストロボ撮影時における前記閃光発光量を低減させる制御手段とを有することを特徴とするカメラシステム。
【請求項２】
閃光発光するストロボ発光部と、該ストロボ発光部の照射角を撮影レンズの焦点距離に応じて変更する照射角可変手段とを有するカメラシステムにおいて、前記ストロボ発光部の前記閃光発光によって得られるエネルギーを測定する測定手段と、該測定手段による測定結果が所定値よりも大きくなった場合は、前記照射角可変手段により、連続して行われるストロボ撮影時における前記ストロボ発光部の照射角をその時の撮影レンズの焦点距離よりも望遠側に変更する制御手段とを有することを特徴とするカメラシステム。
【請求項３】
前記閃光発光によって得られるエネルギーの測定とは、前記ストロボ発光部の温度を測定することであることを特徴とする請求項１又は２に記載のカメラシステム。
【請求項４】
前記閃光発光によって得られるエネルギーの測定とは、前記ストロボ発光部の発光量の積算量を測定することであることを特徴とする請求項１又は２に記載のカメラシステム。
【請求項５】
前記閃光発光量を低減させる制御を行う場合は、表示手段にてその旨の報知することを特徴とする請求項１、３又は４に記載のカメラシステム。
【請求項６】
前記閃光発光量を低減させる制御を行う場合は、これに伴って撮影時の撮影条件を変更することを特徴とする請求項１に記載のカメラシステム。
【請求項７】
前記ストロボ発光部の照射角をその時の撮影レンズの焦点距離よりも望遠側に変更する場合は、これに伴って撮影時の撮影条件を変更することを特徴とする請求項２に記載のカメラシステム。
【請求項８】
前記ストロボ発光部の照射角をその時の撮影レンズの焦点距離よりも望遠側に変更する場合は、これに伴って撮影画像の周辺光量落ちを補正することを特徴とする請求項２又は７に記載のカメラシステム。
【請求項９】
前記撮影時の撮影条件の変更とは、ＩＳＯ感度を高感度側へ変更することであることを特徴とする請求項６又は７に記載のカメラシステム。
【請求項１０】
前記撮影時の撮影条件の変更とは、露出量を大きくすることであることを特徴とする請求項６又は７に記載のカメラシステム。
【請求項１１】
前記エネルギーの測定は、測光動作開始後に行うことを特徴とする請求項１又は２に記載のカメラシステム。
【発明の詳細な説明】
【技術分野】
【０００１】
本発明は、ストロボ装置とカメラとの組み合わせよりなるカメラシステムに関するものである。
【背景技術】
【０００２】
近年、カメラに装着されるストロボ装置は、カメラの性能アップに伴い高性能化を求められており、それと同時に高ガイドナンバー化も求められている。また、ストロボ内蔵のカメラにおいては、カメラの小型化に伴いストロボ発光部も小型化し、気密性も高くなっている。このため、フル発光もしくはフル発光に近い撮影条件でのストロボ撮影やストロボの連続発光をしたときにストロボ発光部とその周辺部が発熱し、使用者に不快感を与える場合があった。この点に鑑み、ストロボの発光回数をカウンタによりカウントし、該発光回数が所定回数に達したらストロボ発光を停止するカメラ（例えば特許文献１）が提案されている。
【特許文献１】特開平１１−２１２１５１号公報
【発明の開示】
【発明が解決しようとする課題】
【０００３】
しかしながら、上記提案のカメラのように、発光回数をカウントし所定回数に達したらストロボ発光を停止する構成の場合、撮影者が所望タイミング時に撮影することが出来ず、シャッタチャンスを逃がしてしまうといった課題を有していた。
【課題を解決するための手段】
【０００４】
上記課題を解決するために、本発明は、閃光発光するストロボ発光部を有するカメラシステムにおいて、前記ストロボ発光部の前記閃光発光によって得られるエネルギーを測定する測定手段と、該測定手段による測定結果が所定値よりも大きくなった場合は、連続して行われるストロボ撮影時における前記閃光発光量を低減させる制御手段とを有するカメラシステムとするものである。
【０００５】
上記構成においては、連続してストロボ撮影が行われる場合、前記ストロボ発光部やその周辺部が加熱して使用者に不快感を与えることから、ストロボ発光部の閃光発光によって得られるエネルギーを測定、例えばストロボ発光部の温度を測定、もしくは、ストロボ発光部の発光量の積算量を測定し、この測定結果が所定値よりも大きくなった場合は、連続して行われるストロボ撮影時における前記閃光発光量を低減させて、ストロボ発光部やその周辺部が不快感を与える程に加熱することのない構成にしている。また、閃光発光量を低減させるような制御を行う場合は、これと同時に露出条件を変更して、適正露出が得られるようにしている。
【０００６】
なお、前記「ストロボ発光部の温度を測定」とは、ストロボ発光部の周辺の温度の測定も含むものである。また、前記「連続して行われるストロボ撮影時」とは、連写モードによるストロボ撮影時に限定されるものではない。単写モードであっても、ストロボ撮影によって加熱したストロボ発光部やその周辺部の例えば温度が、前記所定値よりも小さくならないうちに次のストロボ撮影が行われる場合を含むものである。
【０００７】
また、本発明は、閃光発光するストロボ発光部と、該ストロボ発光部の照射角を撮影レンズの焦点距離に応じて変更する照射角可変手段とを有するカメラシステムにおいて、前記ストロボ発光部の前記閃光発光によって得られるエネルギーを測定する測定手段と、該測定手段による測定結果が所定値をよりも大きくなった場合は、前記照射角可変手段により、連続して行われるストロボ撮影時における前記ストロボ発光部の照射角をその時の撮影レンズの焦点距離よりも望遠側に変更する制御手段とを有するカメラシステムとするものである。
【０００８】
上記構成においては、連続してストロボ撮影が行われる場合、前記ストロボ発光部やその周辺部が加熱して使用者に不快感を与えることから、ストロボ発光部の閃光発光によって得られるエネルギーの測定結果が所定値よりも大きくなった場合は、ストロボ発光部の照射角をその時の撮影レンズの焦点距離よりも望遠側に変更することで等価的に閃光発光量を低減させてストロボ発光部やその周辺部が不快感を与える程に加熱することのない構成にしている。また、照射角を望遠側に変更するような制御を行う場合は、これと同時に露出条件を変更して、適正露出が得られるようにしている。
【発明の効果】
【０００９】
本発明によれば、ストロボの連続発光によるストロボ発光部及びその周辺部の加熱を防止しつつ、カメラの動作を禁止することなく続けてストロボ撮影を行うことのできるカメラシステムを提供できるものである。
【発明を実施するための最良の形態】
【００１０】
以下の実施例１ないし実施例３に示す通りである。
【実施例１】
【００１１】
図１は本発明の実施例１に係るカメラシステムの要部を示す構成図である。図１に示すように、実施例１のカメラシステムは、カメラ本体１と複数のレンズを有する撮影レンズ２よりなるカメラと、外付けのストロボ部（＝外付けストロボ装置）３１で構成されており、撮影レンズ２及びストロボ部３１はカメラ本体１に対して着脱自在に配設されている。
【００１２】
撮影レンズ２は、１群レンズ３、２群レンズ４、３群レンズ５で構成されている。１群レンズ３はＡＦ（オートフォーカス）用のレンズであり、該１群レンズ３を光軸方向に移動させることにより撮影画面のピント位置を調整することが出来る。２群レンズ４は変倍用のレンズであり、該２群レンズ４を光軸方向に移動させることにより撮影画面の変倍が行われ、撮影レンズの焦点距離が変更される。３群レンズ５は固定レンズである。尚、撮影レンズ２は本実施例１では便宜上３枚のレンズで示したが、実際はさらに多数のレンズから構成されていることは周知の通りである。
【００１３】
６はハーフミラーからなる主ミラーであり、不図示のヒンジ軸により回転可能に軸支されており、観察状態の時は撮影光路に斜設され、撮影レンズ２を透過した光束をファインダ及びサブミラーへと導き、撮影状態時は退去される。７はサブミラーであり、不図示のヒンジ軸により主ミラー６に対して回転可能に軸支されており、観察状態の時は主ミラー６を透過した光束をカメラ本体１の下方へ向けて反射し、撮影状態時は主ミラー６に連動して撮影光路から退避する。８はシャッタであり、該シャッタ８の後方に光学ローパスフィルター及び赤外線カットフィルターを一体化した光学フィルター９が配置され、更にその後方に撮影画像を記録するためのＣＣＤ等から構成される撮像素子１０が配置されている。
【００１４】
１１は結像面近傍に配置されたフィールドレンズ１１ａ、反射ミラー１１ｂ及び１１ｃ、２次結像レンズ１１ｅ、絞り１１ｄ、ＣＣＤ等からなるエリアセンサ１１ｆから構成されている周知の位相差方式の焦点検出装置であり、後述する被写界の３つの領域にて焦点検出可能なように構成されている。１２は撮影レンズ２の予定結像面に配置されたピント板である。１３はコンデンサレンズであり、撮影レンズ２からの光束を有効に接眼レンズ１６に導くためのものである。１４はファインダ視野領域を形成する視野マスク、１５はファインダ光路変更用のペンタダハプリズムである。１６はペンタダハプリズム１５の後方には配置される接眼レンズであり、ピント板１２に結像された被写体像の光束が撮影者の眼球１７に達し観察される。
【００１５】
１８，１９は観察画面内の被写体輝度を測定するための結像レンズと多分割測光センサであり、結像レンズ１８はペンタダハプリズム１５内の反射光路を介してピント板１２と多分割測光センサ１９を共役な結像関係に位置付けている。２１はファインダ視野外に撮影情報を表示するためのＴＮ(Twisted Nematic)液晶表示器からなる内部液晶表示器であり、照明用ＬＥＤ（発光ダイオード）２０によって照明されることにより該内部液晶表示器２１を透過した光が三角プリズム２２によりファインダ内に導かれ、撮影情報がファインダ視野外に表示される。これによって撮影者は撮影情報を知ることができる。
【００１６】
２３は撮影レンズ２内に設けられた絞り、２４は後述する絞り駆動回路１１１を含む絞り駆動装置、２５はレンズ駆動用モータ、２６は駆動ギヤ等からなるレンズ駆動部材である。２７はフォトカプラーであり、レンズ駆動部材２６に連動するパルス板２８の回転を検知してＡＦ駆動回路１１０に伝えると、該ＡＦ駆動回路１１０はこの情報とカメラ側からのレンズ駆動量の情報に基づいてレンズ駆動用モータ２５を所定量駆動させ、１群レンズ３を光軸方向に移動させることにより自動的に合焦位置に移動させるようになっている。２９はカメラ本体１と撮影レンズ２とのインターフェイスとなるマウント接点であり、該マウント接点２９を通してカメラ・レンズ間の種々の情報通信を行っている。３０は撮像素子１０によって得られた画像データを表示するためのＴＦＴ(Thin Film Transistor)液晶からなるモニタ用表示器である。
【００１７】
３１は外付けのストロボ部であり、カメラ本体１に取り付けられ、カメラからの信号に従って発光制御を行うものである。３２はストロボ発光部であり、電流エネルギーを発光エネルギーに交換するキセノン管３２ａ、キセノン管３２ａから発せられる発光エネルギーを効率良く被写体に向けて集光するための反射傘３２ｂ、キセノン管３２ａの発した光をモニタするモニタセンサ３２ｃ（ＰＤ(Photo Diode)２）、ストロボ発光部３２内の温度を検知するための温度センサ３２ｄで構成される。モニタセンサ３２ｃの出力によりキセノン管３２ａの発光電流を制限してストロボ部３１がフラット発光を行うことが出来る。３３はフレネルレンズであり、キセノン管３２ａから発せられる発光エネルギーを効率良く被写体に向けて集光する役目を果たしている。３４は光伝達手段としてのグラスファイバーであり、キセノン管３２ａの発光した光をモニタ用のセンサであるモニタセンサ３５（ＰＤ１）に導いている。モニタセンサ３５はストロボの予備発光及び本発光の光量を直接測光しているものである。
【００１８】
３６はストロボ発光部駆動用モータ、３７は駆動ギヤ等からなるストロボ発光部駆動部材であり、これらによりストロボ発光部３２を移動させ、撮影レンズ２の焦点距離に対して最適となる照射範囲の位置にストロボ発光部３２に導いている。３８はカメラ本体１とストロボ部３１とのインターフェースとなる公知のアクセサリシュー接点である。
【００１９】
図２は、撮影画面上の測光エリアの分割の様子および内部液晶表示器２１の表示内容を示した図であり、前記多分割測光センサ１９の機能及びファインダ内情報について詳細に説明する。
【００２０】
５０は撮影画面全体を表している。５１は多分割測光センサ１９の撮影画面上の測光するエリアを表していて、Ｅ０，Ｅ１，Ｅ２，Ｅ３，Ｅ４，Ｅ５のように撮影画面を６つのエリアに分割している。このように撮影画面と共役に関係付けられた多分割測光センサ１９は撮影画面を分割してそれぞれの輝度値を測光し出力することが出来る。Ｐ０，Ｐ１，Ｐ２は焦点検出のための焦点検出点を示し、焦点検出装置１１はこの画面内の３点の焦点状態を検出する。
【００２１】
次に、内部液晶表示器２１での表示内容について説明する。２１ａは露出値をロックしたことを示すＡＥロックマーク、２１ｂはストロボ充電が完了したことを示すストロボ充電完了マーク、２１ｃは後述するストロボ発光自動低減マーク、２１ｄはシャッタ秒時表示用セグメント、２１ｅは絞り表示用セグメント、２１ｆは露出補正量表示セグメント、２１ｇは撮影レンズ２の合焦状態を示す合焦マークである。
【００２２】
図３は、図１のカメラシステムの回路構成を示すブロック図である。同図において、ＭＰＵ１００は内部にＥＥＰＲＯＭ１００ａ、Ａ／Ｄ変換器１００ｂなどを有するマイクロコンピューター等の処理回路であり、発振器１０１で作られるクロックをもとに内部の動作を行う。ＭＰＵ１００には、焦点検出回路１０２、測光回路１０３、シャッタ駆動回路１０４、モータ制御回路１０５、液晶表示駆動回路１０６、信号入力回路１０７、映像信号処理回路１０８が接続されている。また、撮影レンズ２内に配置されたレンズ内制御回路１０９とは、図１で示したマウント接点２９を介して信号の伝達がなされ、ストロボ部３１とは、図１で示したアクセサリシュー接点３８を介して信号の伝達がなされる。
【００２３】
焦点検出回路１０２は、ＭＰＵ１００の信号に従い、エリアセンサ１１ｆの蓄積制御と読み出し制御を行って画素情報をＭＰＵ１００に出力し、ＭＰＵ１００はこれをＡ／Ｄ変換し周知の位相差検出方式により焦点検出情報を算出する。ＭＰＵ１００はこの焦点検出情報によりレンズ内制御回路１０９と信号の伝達を行うことによってレンズの焦点調節を行う。測光回路１０３は、画面内の各エリアの輝度信号として、画面内の６個の各エリアに対応した複数のフォトダイオードから構成される多分割測光センサ１９からの出力をＭＰＵ１００に出力する。測光回路１０３は、被写体に向けてストロボ光を予備発光していない定常状態と予備発光している予備発光状態と双方の状態で輝度信号を出力し、ＭＰＵ１００はこれをＡ／Ｄ変換し、撮影の露出調節のための絞り値の演算とシャッタスピードの演算及び露光時のストロボ本発光量の演算を行う。
【００２４】
シャッタ駆動回路１０４は、シャッタ先幕を走行させるための不図示のマグネット（ＭＧ−１）とシャッタ後幕を走行させるための不図示のマグネット（ＭＧ−２）を制御することで撮像素子１０に所定光量を蓄積させる。モータ制御回路１０５は、主ミラー６のアップダウン及びシャッタ８のチャージを行うためにＭＰＵ１００からの信号に従ってモータＭを制御している。液晶表示駆動回路１０６は、ＭＰＵ１００からの表示内容命令に従って表示出力に適した形態に変換し、内部液晶表示器２１及びモニタ用表示器３０及び後述する外部液晶表示器６０を駆動しそれぞれに表示内容を表示させる。
【００２５】
信号入力回路１０７は、レリーズスイッチ１５０、ストロボモードスイッチ１５１、撮影モードスイッチ１５２、ＩＳＯ感度設定スイッチ１５３からの信号をＭＰＵ１００に伝達している。レリーズスイッチ１５０は、半押し状態であるスイッチＳＷ１と全押し状態であるスイッチＳＷ２の２段スイッチからなり、スイッチＳＷ１のＯＮでカメラの測光、測距が開始され、スイッチＳＷ２のＯＮでカメラの露光動作が開始される。ストロボモードスイッチ１５１は、ストロボ撮影時のストロボ発光部３２およびその周辺部の過熱を防止するためのストロボ発光量自動低減モードを選択するためのものである。尚、ストロボ発光量自動低減モードの詳細については後述する。撮影モードスイッチ１５２は、撮影時のカメラの露出制御方法を選択するためのものである。ＩＳＯ感度設定スイッチ１５３は、周知の撮影時の光に対する敏感度を数値化したＩＳＯ値を設定するためのものである。
【００２６】
映像信号処理回路１０８は、撮影レンズ２からの被写体像をＣＣＤ（電荷結合素子）等により構成される撮像素子１０によって光電変換して電気信号として取り出し、クランプ／ＣＤＳ（相関二重サンプリング）回路１１３及びＡＧＣ（自動利得調整装置）１１４でＡ／Ｄ変換する前の基本的なアナログ処理を行い、Ａ／Ｄ変換器１１５でデジタル信号に変換した信号を受け、このデジタル化された画像データにフィルター処理、色変換処理、ガンマー／ニー処理を行い、メモリコントローラ１１６に出力する。また、この映像信号処理回路１０８には、Ｄ／Ａ変換器１０８ａが内蔵されており、撮像素子１０から入力される映像信号や、メモリコントローラ１１６から逆に入力される画像データをアナログ信号に変換し、不図示のＥＶＦ（エレクトリックビューファインダ）モニタに出力することも可能である。また、ＭＰＵ１００の指示により、何もせずにメモリコントローラ１１６を通してバッファメモリ１１７に画像データを保存することも可能である。また、映像信号処理回路１０８は、ＪＰＥＧ等の圧縮処理する機能も有している。また、連写の場合は、一旦バッファメモリ１１７に画像データを格納し、処理時間がかかる映像信号処理回路１０８による画像処理や圧縮処理はメモリコントローラ１１６を通してバッファメモリ１１７に格納した未処理の画像データを読み出して行うことにより、これら処理を待たずに連写スピードを稼ぐ。よって、連写枚数はバッファメモリ１１７の大きさに大きく左右される。
【００２７】
メモリコントローラ１１６では、映像信号処理回路１０８から入力された未処理のデジタル画像データをバッファメモリ１１７に格納し、処理済みのデジタル画像をメモリ１１８に格納したり、逆にバッファメモリ１１７やメモリ１１８から画像データを映像信号処理回路１０８に出力したりする。また、メモリコントローラ１１６は、外部インターフェース１１９から送られてくる映像をメモリ１１８に記憶したり、メモリ１１８に記憶されている画像を外部インターフェース１１９から出力させることも可能である。メモリ１１８は、撮像装置本体に対して取り外しが自由である場合もある。
【００２８】
レンズ内制御回路１０９は、開放Ｆナンバーや焦点距離やピント補正量等、撮影レンズに関する種々の固有情報が予め記憶されているＲＯＭ等の記憶手段を有するとともに、マウント接点２９を介してＭＰＵ１００と通信し、ＡＦ駆動回路１１０、絞り駆動回路１１１を制御し、１群レンズ群３の位置と絞りを制御している。また、前述したパルス板２８のパルス数をカウントすることにより１群レンズ３の位置情報を得て、被写体の絶対距離情報をＭＰＵ１００に伝達する。電源部１２０は、ＭＰＵ１００やその他各ＩＣ（集積回路）や駆動系に必要な電源を供給している。ファインダユニット１２１は、前述のピント板１２、コンデンサレンズ１３、ペンタダハプリズム１５、接眼レンズ１６等によって構成される。
【００２９】
図４は、前述のストロボ部３１内の回路構成を示すブロック図である。
【００３０】
２００は、ＭＰＵ１００からの信号に従って、被写体に向けてストロボ光を発光させるストロボ制御回路であり、発光量の制御、フラット発光の波高値及び発光時間の制御等を行うことが出来る。２０１は昇圧回路としてのＤＣ／ＤＣコンバータであり、ストロボ制御回路２００の指示により電池電圧を昇圧し、メインコンデンサＣ１に約３００Ｖを蓄えることができる。Ｒ１，Ｒ２はメインコンデンサＣ１の電圧をストロボ制御回路２００がモニタするために設けられた分圧抵抗である。ストロボ制御回路２００は、分圧された電圧をＡ／Ｄ変換器２０２によりＡ／Ｄ変換することにより、メインコンデンサＣ１の電圧を間接的にモニタし、ＤＣ／ＤＣコンバータ２０１を不作動として昇圧を止めさせたり、現在の充電電圧をモニタし、ＭＰＵ１００に伝達したり出来る。２０３はトリガー回路であり、露光時、ＭＰＵ１００の指示によりストロボ制御回路２００を介してトリガーを出力し、キセノン管３２ａに高電圧を発生させ、メインコンデンサＣ１に蓄えられた電荷エネルギーをキセノン管３２ａを介して放電させることにより、ストロボの発光を開始させる。２０４は発光停止回路であり、前述のトリガー出力時はＯＮしているが、発光が開始され、比較手段としてのコンパレータ２０５または２０６の出力およびストロボ制御回路２００からの発光停止信号によりＯＦＦして、キセノン管３２ａの発光を停止せしめる。
【００３１】
次に、上記構成におけるストロボ部３１での動作について詳述する。
【００３２】
≪フラット発光≫
ストロボ制御回路２００は、Ｄ／Ａ変換器（デジタル／アナログ変換器）２０７に所定の値を設定する。このとき、キセノン管３２ａは未だ発光を始めていないので、モニタセンサ３５の光電流は少なく、コンパレータ２０６の反転入力端子に入力されるモニタ回路２０９の出力は低い。よって、コンパレータ２０６はＨＩ（ハイレベルを意味する）を発光停止回路２０４に出力している。その後、ストロボ制御回路２００がトリガー回路２０３を介してトリガー信号を出力すると、キセノン管３２ａが発光を開始し、すぐに発光の波高値は上昇してモニタセンサ３５の光電流が多くなり、モニタ回路２０９の出力が上昇してコンパレータ２０６の出力がＬＯＷ（ローレベルを意味する）になる。コンパレータ２０６の出力がＬＯＷになると、発光停止回路２０４が働き、キセノン管３２ａの放電ループが断たれるが、ダイオードＤ１、コイルＬ１により環流ループを形成し、波高値は瞬時に落ちないで徐々に落ちてくる。波高値が落ちてくると、モニタセンサ３５の光電流は少なくなるので再びコンパレータ２０６の出力はＨＩに転じ、キセノン管３２ａの放電ループが形成され、波高値が上昇してくる。このようにコンパレータ２０６の出力により短い周期で波高値の増加減少を繰り返し、結果的にはほぼ一定の波高値で発光を継続させるフラット発光の制御が行われることになる。
【００３３】
フラット発光を終了させるには、ストロボ制御回路２００が直接発光停止回路２０４に信号を出力することによって行う。また、フラット発光の波高値は、Ｄ／Ａ変換器２０７に与えるデジタル値によってコンパレータ２０６の非反転入力端子に入力される電圧を異ならせしめることでモニタセンサ３５の光電流の動作ポイントを変化せしめ、所望の値に制御することが出来る。発光時間についても、所望の時間に制御が出来る。
【００３４】
≪予備発光と積分≫
予備発光は、前述のフラット発光を所定の波高値で所定時間行う。このとき、モニタセンサ３２ｃはキセノン管３２ａの発光輝度を測光しており、ストロボ制御回路２００は積分回路２１１に積分開始を指示し、これを受けて積分回路２１１はモニタ回路２１０からの出力により予備発光の積分を開始する。尚、発光停止回路２０４には、積分回路２１１の出力が反転入力端子に入力されているコンパレータ２０５の出力が入力されているが、これはストロボ制御回路２００からの信号により無視されるように設定されていて、前述したフラット発光の制御を阻害しないようになっている。
【００３５】
所定時間の予備発光が終わるとストロボ制御回路２００は、予備発光を積分した積分回路２１１の出力をＡ／Ｄ変換器２０２によりＡ／Ｄ変換し、積分値をデジタル値として読み込むことが出来る。
【００３６】
≪本発光制御≫
ＭＰＵ１００は、前述の予備発光の積分値、また予備発光時の多分割測光センサ１９からの被写体反射光輝度値等から、本発光量の適正積分値を求め、端子２０８、ストロボ制御回路２００を介してＤ／Ａ変換器２０７にその適正積分値を設定する。積分回路２１１は初期状態にされ、トリガー回路２０３により発光を開始させる。モニタセンサ３２ｃにより測光されたキセノン管３２ａの発光輝度は積分回路２１１によって積分され、積分出力が設定された適正積分値まで到達すると、コンパレータ２０５の出力がＨＩからＬＯＷに切り換わり、発光停止回路２０４によって発光の停止がかかる。尚、このときはコンパレータ２０６の出力はストロボ制御回路２００からの信号により無視されるように設定してある。このようにして、本発光の発光量を演算で求めた適正な発光量に制御することが出来る。
【００３７】
次に、図５〜図８を用いて上記構成のカメラシステムの動作について説明する。
【００３８】
まず、図５のフローチャートによりカメラシステムのメイン動作について説明する。カメラの動作が開始すると、図５のステップＳ１にて、ＭＰＵ１００内の種々のメモリ内容やプログラムのフラグをリセット（初期設定）する。そして、次のステップＳ２にて、レリーズスイッチ１５０に含まれるスイッチＳＷ１の状態を検出する。該スイッチＳＷ１のＯＮを検出するまではステップＳ２の動作を繰り返し、該スイッチＳＷ１がＯＮするとステップＳ３へ進む。
【００３９】
ステップＳ３では、信号入力回路１０７によりストロボモードスイッチ１５１やＩＳＯ感度設定スイッチ１５３、シャッタ値及び絞り値の決め方である撮影モードスイッチ１５２等、様々なカメラ制御のための各スイッチの状態を検知し、ＭＰＵ１００に信号伝達する。また、マウント接点２９を介して装着されている撮影レンズ２の開放Ｆナンバーや焦点距離等、撮影レンズ２に関する種々の固有情報をＭＰＵ１００に信号伝達する。また、ストロボ部３１内のストロボ制御回路２００は、アクセサリシュー接点３８を介して撮影レンズ２の焦点距離情報を受信し、撮影レンズ２の焦点距離に応じた位置にストロボ発光部３２の移動制御を行う。尚、ストロボモードは前述の発光制御に基づいた通常発光モードと後述するストロボ撮影時のストロボ発光部３２及びその周辺部の過熱を防止するためのストロボ発光量自動低減モードとがあり、また、ストロボ発光量自動低減モードの中には、シャッタ秒時或いは絞り値或いは双方をシフトする露出シフトモードと、ＩＳＯをシフトするＩＳＯシフトモードがあり、撮影者が選択可能となっている。尚、本実施例１では、ストロボ発光量自動低減モードが選択されているものとして以下説明する。
【００４０】
ストロボモードスイッチ１５２によりストロボ発光量自動低減モードが選択されると、撮影者に該モードが選択されている旨を知らしめるために、内部液晶表示器２１及び外部液晶表示器６０に表示する。ここで、内部液晶表示器２１の表示内容と外部液晶表示器６０の表示内容について、図６及び図７を用いて説明する。
【００４１】
図６に、内部液晶表示器２１の表示内容を示す。図６（ａ）は、ストロボモードが通常発光モード選択時の表示内容を示し、ストロボ部３１のメインコンデンサＣ１の充電電圧情報に基づきストロボ充電完了マーク２１ｂが点灯し、ストロボ撮影が可能となる。図６（ｂ）は、ストロボ発光量自動低減モードを選択した時の表示内容を示し、ストロボ発光自動低減マーク２１ｃが点灯し、現在ストロボ発光量自動低減モード状態にあることを撮影者に知らしめる。図６（ｃ）は、ストロボ発光量自動低減モードを選択時、後述するストロボ部３２内の温度又は積算発光量が所定値以上の時の表示内容を示し、ストロボ発光量自動低減マーク２１ｃが点滅することでストロボ発光量自動低減が作動していることを撮影者に知らしめる。
【００４２】
図７は、外部液晶表示器６０の表示内容を示す。同図において、６１ａはシャッタ秒時及びＩＳＯ感度を表示するためのシャッタ秒時セグメント、６１ｂは絞り値を表示するための絞りセグメント、６１ｃは撮影モード及びＩＳＯ表示状態であることを表示するためのセグメント、６１ｄは撮影可能駒数を表示するためのカウンタセグメント、６１ｅは撮影ドライブモードを表示するためのドライブモードセグメントで、連続撮影又は一枚撮り又はセルフ撮影の何れかの状態を表示する。６１ｆはバッテリー残量表示セグメント、６１ｇは露出補正量表示セグメント、６１ｈはストロボ充電完了マークセグメント、６１ｉはストロボ発光量自動低減モード状態であることを示すためのストロボ発光量自動低減マークセグメントである。このストロボ発光量自動低減マークセグメント６１ｉは内部液晶表示器２１と同様、ストロボ発光部３２内の温度又は積算発光量が所定値以上の時に点滅することでストロボ発光量自動低減が作動していることを撮影者に知らしめる。
【００４３】
図５のフローに戻り、ステップＳ３で各種のスイッチ検知を行った後はステップＳ４へ進み、焦点検出動作を行う。これは前述したように焦点検出回路１０２による周知の位相差検出方式によるものである。この焦点検出結果により、ＭＰＵ１００はレンズ内制御回路１０９を制御することによって、１群レンズ３の焦点調節を行う。焦点検出するポイントは、図２で説明したように画面上に３点あるが、そのうちのどのポイントの被写体にピントを合わせるかは、撮影者が任意に設定できる方式でも良いし、近点優先を基本の考え方とした周知の自動選択アルゴリズム方式でも良い。次のステップＳ５では、ＭＰＵ１００は画面上の６つのエリアの被写体輝度値を測光回路１０３より得て、前記６つのエリアの被写体輝度値より周知のアルゴリズムにより露出量を決定し、設定された撮影モードに従ってシャッタスピードの値と絞りの値を決定する。続くステップＳ６では、ストロボ発光量自動低減モードのシーケンスを実行する。このシーケンスによりストロボ発光量の自動低減をするか否かを判定し、必要であれば発光量の補正及び露出値の変更を行う。尚、このシーケンスの詳細については後述する。
【００４４】
次のステップＳ７では、レリーズスイッチ１５０に含まれるスイッチＳＷ２がＯＮであるかどうかを判別する。ＯＦＦであればステップＳ２に戻り、上記のステップＳ２〜Ｓ６までの動作を繰り返す。その後、スイッチＳＷ２がＯＮになれば、以下のステップＳ８以降の動作を実行する。
【００４５】
ステップＳ８では、ＭＰＵ１００はストロボ制御回路２００からの情報伝達により、現在のストロボ部３１内のメインコンデンサＣ１の充電電圧情報、レンズ内制御回路１０９からの情報より被写体とカメラからの絶対距離情報、測光回路１０３からの被写体輝度情報、ストロボ発光量自動低減モードの情報をそれぞれ得て、これをもとに予備発光の発光量を決定する。この発光量としては、例えば充電電圧が高い程、距離が遠い程、輝度が明るい程、大となるように決定される。また、上記ステップＳ５と同様に測光を行う。次のステップＳ９では、決定された予備発光量になるようにＭＰＵ１００はストロボ制御回路２００に指令を出して、予備発光を制御する。尚、予備発光は前述のフラット発光による予備発光が行われ、予備発光量としては、フラット発光の波高値、即ち、コンパレータ２０６の非反転入力端へ上記ステップＳ８にて決定された発光量に応じた値を発光量が大きな程、大きな値となるように設定することにより行われる。又、この予備発光動作は予め決められた一定時間経過するとストロボ制御回路２００からの信号にて発光停止回路２０４が作動し、以降の発光が禁止されることで中止される。
【００４６】
ステップＳ１０へ進むと、ここでは予備発光と同時に被写体の上記予備発光による反射光を多分割測光センサ１９によって測光する。また、予備発光を行っているときストロボ制御回路２００は、キセノン管３２ａの直接光をモニタセンサ３２ｃで測光し、積分回路２１１で積分して、予備発光終了時に積分値をＡ／Ｄ変換して読み込む。これらの予備発光の積分値、予備発光の被写体反射光測光値、露出値や後述の補正量等から本発光の適正積分値を演算する。そして、次のステップＳ１１にて、露光動作に先立って主ミラー６をアップさせ、サブミラー７ともども撮影光路より退去させる。続くステップＳ１２では、決められた露光量に基づく絞り値になるようにレンズ内制御回路１０９に指令を出し、決められたシャッタスピード値になるようにシャッタ制御回路１０４を駆動することによって制御する。
【００４７】
次のステップＳ１３では、シャッタの駆動に合わせて露光中（シャッタ先幕の走行完了によるＸ接点のＯＮに同期して本発光が開始される）にストロボの本発光がストロボ制御回路２００により制御される。この本発光はこのステップＳ１３の演算によって求められた発光量に制御されることとなる。こうして露光動作が終わるとステップＳ１４へ進み、撮影光路より退去された主ミラー６等をダウンし、一連の発光制御を終了する。
【００４８】
次のステップＳ１５では、メモリコントローラ１１６に画像信号を送り、バッファメモリ１１７に画像を一時保管する。そして、次のステップＳ１６にて、バッファメモリ１１７に格納された未処理の画像を映像信号処理回路１０８の負荷が画像処理できるレベルであるときに画像処理及び該画像の圧縮をし、メモリ１１８に格納する動作をスタートする。連写等の場合は、バッファメモリ１１７に画像が逐次格納されるが、画像処理は停止した状態になることもある。
【００４９】
次のステップＳ１７では、映像信号処理回路１０８がメモリコントローラ１１６から画像データを入力してアナログ信号に変換し、ＭＰＵ１００、液晶表示駆動回路１０６を介し、モニタ用表示器３０へ撮影画像を映し出す。そして、次のステップＳ１８にて、次の駒の撮影が可能であるか否かを判別する。ここで、バッファメモリ１１７の格納領域に空きがない場合は次の駒の撮影が不可能であり、１駒分の画像処理、圧縮、メモリ格納処理が終了するのを待つ。また、バッファメモリ１１７の格納領域に空きがある場合は次の駒の撮影が可能であり、その場合はステップＳ２へ戻り、スイッチＳＷ１がＯＮされるのを待つ。
【００５０】
以上で、本実施例１におけるカメラシステムのメイン動作は終了する。
【００５１】
次に、図８のフローチャートを用いて、図５のステップＳ６にて実行されるストロボ発光量自動低減モード時の動作について説明する。
【００５２】
まずステップＳ１００にて、スイッチＳＷ１がＯＮか否かを判定する。ＯＮであればステップＳ１０１へ進むが、ＯＦＦであれば図５のステップＳ２へ戻り、再びスイッチＳＷ１がＯＮされるまで待機する。スイッチＳＷ１がＯＮしたとしてステップＳ１０１へ進むと、ストロボ発光部３２内の温度Ｔｅｍｐを温度センサ３２ｄにより測定する。そして、次のステップＳ１０２にて、上記ステップＳ１０１での測定結果（温度Ｔｅｍｐ）と予めＭＰＵ１００のＥＥＰＲＯＭ１００ａへ記憶させておいたストロボ発光量自動低減モードへ移行するための所定値（閾値）Ｔとの比較を行う。この結果、所定値Ｔよりも測定結果が小さければ図８のフローから図５のステップＳ７へ進み、所定値Ｔよりも測定結果が大きければステップＳ１０３へ進む。
【００５３】
ステップＳ１０３へ進むと、上記ステップＳ１０２での結果を受け、前述したように、図６（ｃ）のストロボ発光自動低減マーク２１ｃ及び図７のストロボ発光自動低減マーク６１ｉを点滅させ、ストロボ発光量自動低減が作動していることを撮影者に知らしめる。そして、次のステップＳ１０４にて、ストロボ発光量を低減させるために、図５のステップＳ１０で行われる本発光適正光量演算結果に対しての補正量をストロボ制御回路２００にて決定し、ＭＰＵ１００に伝える。尚、補正量は、現在の温度及びシフト時の発光量から発光後の温度を推定し、所定の温度内で収まる値を演算する。また、発光量と温度上昇の相関は、実験結果により予め求めておき、ＭＰＵ１００に記憶させておく。
【００５４】
次のステップＳ１０５では、露出条件の変更を行う。これは、上記ステップＳ１０４で発光量の補正を行ったため、撮影者が予め設定した露出条件のままではアンダーな写真となってしまうためである。露出条件の変更は、ＩＳＯシフトモードが選択されている場合はＩＳＯ感度を高感度側へシフトし、適正露出となるようにする。尚、露出シフトモード選択時は、撮影モードがシャッタ優先モードの時は絞り値を開放側へ、絞り優先モードの時はシャッタ秒時を低速側へ、プログラム優先モードの時はシャッタ秒時と絞り値の双方をそれぞれ低速側及び開放側へと、撮影モードの設定状態に応じて変更を行う。
【００５５】
以上で、ストロボ発光量自動低減モード時の動作は終了し、図５のステップＳ７へ進む。
【００５６】
上記の実施例１によれば、図8のステップＳ１０１〜Ｓ１０５にて説明したように、ストロボ発光部３２の温度（ストロボ発光部３２の周辺の温度を含む）が所定値よりも高くなった場合は次のストロボ撮影における閃光発光量を減少させるようにしているので、ストロボの連続発光によるストロボ発光部３２やその周辺部の加熱を防止しつつ、カメラの動作を禁止することなく続けてストロボ撮影を行うことを可能にしている。換言すれば、フル発光に近い撮影条件でのストロボ撮影やストロボの連続発光をした場合であっても、ストロボ撮影を禁止することなく、ストロボ発光部３２やその周辺部の過熱を防止することができる。
【００５７】
また、この際、アンダーな写真とならないように撮影条件を変更するようにしているので、露出についても適正なものとなる。また、発光光量を減少させる制御を行う際には、その旨の表示するようにしているので、使用者に違和感を与えることもない。又、上記の温度検出は測光動作開始後に行うようにしているので、ストロボ発光量自動低減モードへの移行を適正に行うことができる。
【実施例２】
【００５８】
図９及び図１０は本発明の実施例２に係わる図であり、詳しくは、図９はカメラシステムのメイン動作を示すフローチャート、図１０はストロボ発光量自動低減モード時の動作を示すフローチャートである。なお、カメラシステムの構成は、図1〜図４とほぼ同様であるものとする。
【００５９】
上記実施例１では、ストロボ発光部３２の温度を温度センサ３２ｄにより検出し、該温度の検出結果によりストロボ発光量の自動低減制御を行っていたが、本発明の実施例２では、キセノン管３２ａの発光量をモニタセンサ３５によって積算し、該積算量によりストロボ発光量の自動低減を制御すものである。温度を積算発光量として置き換えることにより、温度センサ３２ｄが不要となる。
【００６０】
図９において、以下に説明するステップＳ２０５、ステップＳ２１３及びステップＳ２１４以外の動作は上記実施例１と同一のため、その説明は割愛する。
【００６１】
ステップＳ２１２において本発光制御が行われると、次のステップＳ２１３にて、発光量の積算を開始する。発光量は、前述した如くキセノン管３２ａの発光量をグラスファイバー３４によってモニタセンサ３５へ送り、積分回路２１１によって積分された値をストロボ制御回路２００内に積算していく。続くステップ２１４では、後述する積算発光量のリセット又は減算を行うためのタイマーをスタートさせる。
【００６２】
次に、図９のステップＳ２０５にて実行されるストロボ発光量自動低減モード時の動作について、図１０のフローチャートを用いて説明する。
【００６３】
まず、ステップＳ３００にて、スイッチＳＷ１がＯＮか否かを判定する。ＯＮであればステップＳ３０１へ移行し、ＯＦＦであれば図９のステップＳ２０１へ戻り、再びスイッチＳＷ１がＯＮされるまで待機する。その後、スイッチＳＷ１がＯＮするとステップＳ３０１へ進み、ここでは前回の本発光終了後（図９のステップＳ２１４）からの時間を判定する。この結果、この時間が所定時間より長ければステップＳ３０２へ進み、所定時間より短ければステップＳ３０３へ進む。尚、一定時間内における積算発光量と温度低下の関係は、積算発光量が多ければ温度低下も少なくなるため、前記所定時間は、積算発光量に応じて変化させるようにしてもよい。
【００６４】
ステップＳ３０２へ進むと、上記ステップＳ３０１で所定時間経過していると判定されたため、ストロボ発光部３２の温度の低下が十分期待できる。そのため、前述した積算発光量のリセット又は減算を行い、必要以上の発光量補正を防止している。リセットか又は減算かの判別及び減算量は、予め実験により発光量と温度及び時間との相関を求めておいてＭＰＵ１００に記憶させておき、該データにもとづき判別する。また、ステップＳ３０３では、前記積算発光量と予めＭＰＵ１００へ記憶させておいたストロボ発光量自動低減モードへ移行するための所定値（閾値）との比較を行う。所定値よりも前記積算発光量が小さければ図１０のフローをから図９のステップＳ２０６へ進み、所定値よりも前記積算発光量が大きければステップＳ３０４へと進む。
【００６５】
ステップＳ３０４では、上記ステップＳ３０３での結果を受け、図６（ｃ）のストロボ発光自動低減マーク２１ｃ及び図７の６１ｉを点滅させ、ストロボ発光量自動低減が作動していることを撮影者に知らしめる。そして、次のステップＳ３０５にて、ストロボ発光量を低減させるために、図９のステップＳ２０９で行われる本発光適正光量演算結果に対しての補正量を決定し、ＭＰＵ１００へ伝える。尚、補正量は、現在の積算発光量及びシフト時の発光量から積算発光量を算出し、所定の積算発光量内で収まる値を演算する。
【００６６】
続くステップＳ３０６では、露出条件の変更を行う。これは、上記ステップＳ３０５で発光量の補正を行ったため、撮影者が予め設定した露出条件のままではアンダーな写真となってしまうためである。露出条件の補正は、ＩＳＯシフトモードが選択されている場合は、ＩＳＯ感度を高感度側へシフトし、適正露出となるようにする。尚、露出シフトモード選択時は、撮影モードがシャッタ優先モードの時は絞り値を開放側へ、絞り優先モードの時はシャッタ秒時を低速側へ、プログラム優先モードの時はシャッタ秒時と絞り値の双方をそれぞれ低速側及び開放側へと、撮影モードの設定状態に応じて変更を行う。
【００６７】
以上でストロボ発光量自動低減モードのシーケンスは終了し、図９のステップＳ２０６へ進む。
【００６８】
上記実施例２によれば、図１０のステップＳ３０１〜Ｓ３０６にて説明したように、キセノン管３２ａの発光量をモニタセンサ３５によって積算した積算発光量が予め記憶されているストロボ発光量自動低減モードへ移行するための所定値よりも大きい場合は、閃光発光量を減少させると共に、撮影条件を変更するようにしているので、ストロボの連続発光によるストロボ発光部３２やその周辺部の加熱を防止しつつ、カメラの動作を禁止することなく続けて適正露光のストロボ撮影を行うことを可能にしている。
【実施例３】
【００６９】
図１１は本発明の実施例３に係わるカメラシステムにおけるストロボ発光量自動低減モード時の動作を示すフローチャートである。カメラシステムの構成は、図1〜図４とほぼ同様であるものとする。
【００７０】
上記実施例１及び実施例２では、ストロボ発光量自動低減を行うために、本発光適正光量の演算値に対して補正をかけていたが、本発明の実施例３では、ストロボ部３１内のストロボ発光部３２の位置を撮影レンズ２の焦点距離に対して望遠（テレ）側に移動することによりストロボ発光量の自動低減を図るものである。尚、メイン動作に関しては、後述する発光エネルギー測定の種類によって実施例１又は実施例２のいずれかが適用される。
【００７１】
図１１において、まずステップＳ４００にて、スイッチＳＷ１がＯＮか否かを判定する。この結果、ＯＮであればステップＳ４０１へ移行し、ＯＦＦであれば再びスイッチＳＷ１がＯＮされるまで待機する（図５のステップＳ２又は図９のステップＳ２０１）。その後、スイッチＳＷ１がＯＮするとステップＳ４０１へ進み、ここではストロボ発光部３２内の発光エネルギーを測定する。この発光エネルギーとは、上記実施例１で説明したストロボ発光部３２の温度又は上記実施例２で説明したモニタセンサ３５（ＰＤ１）の積算発光量のいずれかを指し、本発明の実施例３ではどちらでも良く、特に限定はしない。
【００７２】
次のステップＳ４０２では、上記ステップＳ４０１での発光エネルギーの測定結果（Ｓ）と予めＭＰＵ１００へ記憶させておいたストロボ発光量自動低減モードへ移行するための所定値（閾値）との比較を行う。所定値よりも測定結果が小さければ図１１のフローから図５もしくは図９のメイン動作のフローへ戻る。一方、所定値よりも測定結果が大きければステップＳ４０３へと進み、上記ステップＳ４０２での結果を受け、図６（ｃ）のストロボ発光量自動低減マーク２１ｃ及び図７の６１ｉを点滅させ、ストロボ発光量自動低減が作動していることを撮影者に知らしめる。
【００７３】
続くステップＳ４０４では、ストロボ発光量を低減させるためにＭＰＵ１００からアクセサリシュー接点３８を介してストロボ制御回路２００に撮影レンズ２の焦点距離情報を送信する。これを受けてストロボ制御回路２００は、ストロボ発光部駆動用モータ３６を駆動し、ストロボ発光部駆動部材３７を介してストロボ発光部３２を撮影レンズ２の焦点距離に対して所定量だけテレ側へ移動する。尚、ここでの発光量は本発光適正光量演算値の補正を行うものではなく、撮影レンズ２の焦点距離に応じた本発光適正光量演算値で制御されるものであり、前記ストロボ発光部３２の位置補正を行うことでストロボ発光量の自動低減を図るものである。
【００７４】
次のステップＳ４０５では、露出条件の変更を行う。これは上記ステップＳ４０４でストロボ発光部３２を光軸方向に移動させることで発光量の補正を行ったため、撮影者が予め設定した露出条件のままではアンダーな写真となってしまうためである。露出条件の補正は、ＩＳＯシフトモードが選択されている場合は、ＩＳＯ感度を高感度側へシフトし、適正露出となるようにする。尚、露出シフトモード選択時は、撮影モードがシャッタ優先モードの時は絞り値を開放側へ、絞り優先モードの時はシャッタ秒時を低速側へ、プログラム優先モードの時はシャッタ秒時と絞り値の双方をそれぞれ低速側及び開放側へと、撮影モードの設定状態に応じて変更を行う。
【００７５】
次のステップＳ４０６では、上記ステップＳ４０４においてストロボ発光部３２を、撮影レンズ２の焦点距離に対して所定量、テレ側へ移動したため、撮影画像の周辺光量落ちが発生してしまう。そのため、予め周辺光量落ちの補正値をＭＰＵ１００内で算出し、映像信号処理回路１０８へ伝達し、撮影終了後に画像の補正を行う。
【００７６】
以上で、ストロボ発光量自動低減モードの動作は終了する。
【００７７】
上記実施例３によれば、ストロボ発光部３２の温度が所定の閾値よりも高くなった場合、もしくは、キセノン管３２ａの発光量をモニタセンサ３５によって積算した積算発光量が予め記憶されているストロボ発光量自動低減モードへ移行するための所定値よりも大きい場合は、閃光発光量を減少させるようにするために、撮影レンズ２の焦点距離よりも所定量、テレ側となる位置までストロボ発光部３２を移動させると共に、これに伴ってアンダーな写真とならないように撮影条件を変更するようにしているので、ストロボの連続発光によるストロボ発光部３２やその周辺部の加熱を防止しつつ、カメラの動作を禁止することなく続けて適正露出のストロボ撮影を行うことを可能にしている。
【００７８】
なお、上記の各実施例ではストロボ装置は外付けのもの（外付けのストロボ部３１）を想定しているが、これに限定されるものではなく、ストロボ装置とカメラが一体となったストロボ内蔵カメラに適応してもよく、またストロボ装置の発光制御も上記の各実施例に限定されるものではない。
【００７９】
以上の実施例１〜３によれば、ストロボ発光部の温度或いは発光光量といった閃光発光によって得られるエネルギーを測定し、該エネルギーが所定量に達したら閃光発光量を減少させるように制御すると共に撮影条件を変更するようにしているので、ストロボの連続発光によるストロボ発光部やその周辺部の加熱を防止しつつ、カメラの動作を禁止することなく続けて適正露出のストロボ撮影を行うことが可能となる。
【産業上の利用可能性】
【００８０】
本発明は、ストロボの連続発光によるストロボ発光部及びその周辺部の加熱を防止しつつ、カメラの動作を禁止することなく続けてストロボ撮影を行えるという効果を有し、カメラと外付けストロボ装置よりなるカメラシステムもしくはストロボ装置を内蔵したカメラシステムに有用である。
【図面の簡単な説明】
【００８１】
【図１】本発明の実施例１に係わる電子カメラシステムの概略を示す構成図である。
【図２】本発明の実施例１において撮影画面上の測光エリアの分割の様子及び内部液晶表示を示す図である。
【図３】図１の電子カメラシステムの回路構成を示すブロック図である。
【図４】本発明の実施例１に係わる外付けストロボ装置に具備されるストロボ部の回路図である。
【図５】本発明の実施例１に係わる電子カメラの基本動作を示すフローチャートである。
【図６】図５の電子カメラに具備される内部液晶表示器の表示内容を示す図である。
【図７】図５の電子カメラに具備される外部液晶表示器の表示内容を示す図である。
【図８】本発明の実施例１に係わるストロボ発光量自動低減モード時の動作を示すフローチャートである。
【図９】本発明の実施例２に係わる電子カメラの基本動作を示すフローチャートである。
【図１０】本発明の実施例２に係わるストロボ発光量自動低減モード時の動作を示すフローチャートである。
【図１１】本発明の実施例３に係わるストロボ発光量自動低減モード時の動作を示すフローチャートである。
【符号の説明】
【００８２】
２      撮影レンズ
１０    撮像素子
２１    内部液晶表示器
１９    多分割測光センサ
３１    ストロボ部（外付けストロボ装置）
３２    ストロボ発光部
３２ａ  キセノン管
３２ｃ  モニタセンサ
３５    モニタセンサ
１００  ＭＰＵ
１０９  レンズ内制御回路
２００  ストロボ制御回路
【図１】
2005156793.tif 000003
【図２】
2005156793.tif 000004
【図３】
2005156793.tif 000005
【図４】
2005156793.tif 000006
【図５】
2005156793.tif 000007
【図６】
2005156793.tif 000008
【図７】
2005156793.tif 000009
【図８】
2005156793.tif 000010
【図９】
2005156793.tif 000011
【図１０】
2005156793.tif 000012
【図１１】
2005156793.tif 000013